(57)【特許請求の範囲】
【請求項１】
入力側のクラッチプレートと、出力側の出力軸と、出力軸に設けられたスプライン部に軸方向摺動自在に係合している可動コアと、可動コアをクラッチプレートに吸着させる磁力を発生させるコイルと、クラッチプレートと可動コアとの間に配されてクラッチプレートから可動コアを離す復帰ばねとからなる電磁クラッチであって、復帰ばねとスプライン部に係合している可動コアとの間に弾性を有するシートを介在させていることを特徴とする電磁クラッチ。
【請求項２】
シートは可動コアにおけるクラッチプレートへの吸着面よりもクラッチプレート側に突出する突出部を備えたものであることを特徴とする請求項１記載の電磁クラッチ。
【発明の詳細な説明】
【０００１】
【産業上の利用分野】
本発明は電磁クラッチに関するものである。
【０００２】
【従来の技術】
椅子の背もたれやベッド内に組み込まれる自走式のマッサージ機では、マッサージ用の出力のほかに、走行用の出力が必要である。また、強弱調整、マッサージ位置の幅方向調整、マッサージ種別の変更等を可能とする多機能化にあたり、これらも電動で行うことができるようにしたものが提供されている。
【０００３】
この場合、複数機能を同時に作動させる必要があまり無いことやコストの低減といった点から、単一のモータと上記の各機能部との間にクラッチを介在させてクラッチを通じて各機能部にモータ出力を伝達するようにしている。
一例を図７に示す。椅子の背もたれ内に上下走行自在となるように配される図示のマッサージ機構は、モータ６の出力軸の両端にプーリ６０，６０を設けて、ベルト６１，６１によってプーリ６２，６２に動力を伝達するとともに、プーリ６２，６２からさらにベルト６３，６３によってプーリ６４，６４に、さらにプーリ６４からベルト６５を介してプーリ６６に動力を伝えるとともに、プーリ６２，６２，６４，６４，６６に夫々電磁クラッチ１を接続して、各電磁クラッチ１の入切により、マッサージ、上下走行、幅調整、強弱調整、マッサージ種別の変更の各機能部への動力伝達を制御している。
【０００４】
そして、ここにおける電磁クラッチ１としては、図８に示すように、プーリと一体に形成されたクラッチプレート１０と、ヨーク１１，１２、コイル１３、可動コア１４、復帰ばね１５で構成されるとともに、出力軸１８に設けたスプライン部１９に可動コア１４が軸方向に摺動自在に係合装着されたものが用いられている。この電磁クラッチ１では、コイル１３への通電でヨーク１１、クラッチプレート１０、可動コア１４、ヨーク１２を通る磁界が形成された時、図９に示すように、可動コア１４がクラッチプレート１０に吸着されてモータからの回転がベルトを介して伝えられることで回転しているプーリ（クラッチプレート１０）の回転が可動コア１４を通じて出力軸１８に伝達され、コイル１３への通電が遮断されたならば、復帰ばね１５によって可動コア１４がクラッチプレート１０から離れ、出力軸１８に対してクラッチプレート１０のみが回転する図８に示す状態に戻る。
【０００５】
【発明が解決しようとする課題】
ここにおいて、上記タイプの電磁クラッチ１では、コイル１３を励磁させることでクラッチプレート１０に可動コア１４を吸着させた時に衝突音が発生するほか、出力軸１８とクラッチプレート１０（プーリ）とこの間に介在させた軸受１７の３者の間に隙間がある場合、プーリにかけられたベルトのテンションによって、図１０に示すように、クラッチプレート１０に傾きが生ずることがある。この時、クラッチプレート１０に吸着された可動コア１４は、出力軸１８のスプライン部１９との間のクリアランスにより、クラッチプレート１０と同じ傾きを持つとともに、その回転につれてスプライン部１９との接触位置が軸方向において変動することになる。このような噛み合い状態の変化は、異音を発生させる。
【０００６】
本発明はこのような点に鑑み為されたものであり、その目的とするところは静音化を図ったクラッチを提供するにある。
【０００７】
【課題を解決するための手段】
しかして本発明は、入力側のクラッチプレートと、出力側の出力軸と、出力軸に設けられたスプライン部に軸方向摺動自在に係合している可動コアと、可動コアをクラッチプレートに吸着させる磁力を発生させるコイルと、クラッチプレートと可動コアとの間に配されてクラッチプレートから可動コアを離す復帰ばねとからなる電磁クラッチであって、復帰ばねとスプライン部に係合している可動コアとの間に弾性を有するシートを介在させていることに特徴を有している。ここにおけるシートは可動コアにおけるクラッチプレートへの吸着面よりもクラッチプレート側に突出する突出部を備えたものであってもよい。
【０００９】
【作用】
本発明の第１の特徴とするところによれば、弾性を有して可動コアに接しているシートによるダンピング効果で音の低減を図ることができる。この時、可動コアにおけるクラッチプレートへの吸着面よりもクラッチプレート側に突出する突出部をシートに設けておけば、可動コアとクラッチプレートとの衝突音の低減について高い効果を得ることができる。
【００１１】
【実施例】
以下本発明を図示の実施例に基づいて詳述する。なお、電磁クラッチ１の構造自体は上記従来例のものと同じであることから、異なる部分についてのみ説明する。図１に示す実施例では、可動コア１４における皿ばねで形成された復帰ばね１５が接する面に弾性を有するシート３を配して、このシート３を復帰ばね１５と可動コア１４との間に介在させている。このシート３は、可動コア１４とスプライン部１９との噛み合い音や可動コア１４とクラッチプレート１０との衝突音を和らげるダンピング効果により、静音化を図ることができる。
【００１２】
上記の弾性を有するシート３として、図２及び図３に示すように複数個の突出部３０が突設されたものを用いるとともに、この突出部３０の頂部が可動コア１４におけるクラッチプレート１０への吸着面よりもクラッチプレート１０側に突出しているものを用いた時には、可動コア１４とクラッチプレート１０との衝突音の低減について、さらに高い効果を有するものとなる。
【００１３】
図４及び図５に示すように、金属からなる可動コア１４のスプラインが形成された内周面に樹脂材３３を被覆して、金属であるスプライン部１９が樹脂部３３に噛み合うようにしてもよい。可動コア１４とスプライン部１９との噛み合い部での異音の発生そのものを抑制することができる。スプライン部１９側を樹脂成形品としてもよい。
【００１４】
図６に示すものは、クラッチプレート１０と可動コア１４との相互吸着面のうちの少なくとも一方を軸に対して斜交する傾斜面とし、クラッチプレート１０に可動コア１４が吸着された時に可動コア１４が少し傾いてしまうようにしている。この場合の可動コア１４の傾きは、図１０で示した場合の傾きと異なって出力軸１８に対して一定の状態を保つものであり、可動コア１４とスプライン部１９との接触点が回転によって軸方向に変動したりすることがなく、このために異音が発生することはない。
【００１５】
なお、入力側と出力側については、電磁クラッチ１においては相対的なものであるから、出力軸１８を入力側、クラッチプレート１０が出力側のものであってもよい。
【００１６】
【発明の効果】
以上のように本発明においては、クラッチプレートと可動コアとの間に配された復帰ばねと、スプライン部に係合している可動コアとの間に弾性を有するシートを介在させているために、傾いたクラッチプレートに吸着された可動コアが出力軸のスプライン部との間のクリアランスによりクラッチプレートと同じ傾きを持つとともに、その回転につれてスプライン部との接触位置が軸方向において変動して異音を発生することになっても、弾性を有して可動コアに接しているシートによるダンピング効果によって、発生した音を低減することができるために、静音化を図ることができる。そして上記シートとして、可動コアにおけるクラッチプレートへの吸着面よりもクラッチプレート側に突出する突出部をシートに設けておけば、クラッチプレートに可動コアが吸着する時、シートの突出部が先にクラッチプレートに接触するために、可動コアとクラッチプレートとの衝突音を抑制することができる。
【図面の簡単な説明】
【図１】本発明一実施例の接続時の断面図である。
【図２】同上のシートの他例を示すもので、（ａ）は平面図、（ｂ）は破断側面図である。
【図３】同上のシートを用いた場合の非接続時の断面図である。
【図４】他の実施例における可動コアを示すもので、（ａ）は平面図、（ｂ）は断面図である。
【図５】同上の可動コアの樹脂部の平面図である。
【図６】別の実施例の接続時の断面図である。
【図７】電磁クラッチを備えたマッサージ機の一例の背面図である。
【図８】同上の電磁クラッチの非接続時の断面図である。
【図９】同上の電磁クラッチの接続時の断面図である。
【図１０】同上の異音発生時を示す概略断面図である。
【符号の説明】
１  電磁クラッチ
３  シート
１０  クラッチプレート
１３  コイル
１４  可動コア
１５  復帰ばね
１８  出力軸
１９  スプライン部
【図１】
0003582148.tif 000002
【図２】
0003582148.tif 000003
【図３】
0003582148.tif 000004
【図４】
0003582148.tif 000005
【図５】
0003582148.tif 000006
【図６】
0003582148.tif 000007
【図７】
0003582148.tif 000008
【図８】
0003582148.tif 000009
【図９】
0003582148.tif 000010
【図１０】
0003582148.tif 000011